(57)【要約】【課題】  複数のフィルムの出し入れ作業や入れ替え作業を容易でき、複数のフィルムを同時に搬送することができ、さらに制作が容易なこと。【解決手段】  ベース板１１と、複数のフィルム５１を互いに間隔をもたせ整列して前記ベース板１１に搭載した際に、前記ベース板１１の一面に対して平行な方向への前記フィルムの移動を阻止するよう前記ベース板１１上の所定位置に配設されている複数の位置決め部材２１と、前記位置決め部材２１を前記ベース板１１の前記所定位置に配設するよう前記ベース板１１に形成したマーク部３１とを有する。【選択図】  図１
2008155426.tif 000002
【特許請求の範囲】
【請求項１】
投影機の光により投影用フィルムを投影するために用いるフィルム搭載ボードにおいて、
透光性を有するベース板と、
複数の前記フィルムを互いに間隔をもたせて前記ベース板の一面に搭載した際に、前記ベース板の前記一面に対して平行な方向への前記フィルムの移動を阻止するよう前記ベース板の前記一面の所定位置に配設した複数の位置決め部材と、
前記位置決め部材を前記ベース板の前記所定位置に配設するよう前記ベース板に設けたマーク部とを有することを特徴とするフィルム搭載ボード。
【請求項２】
請求項１記載のフィルム搭載ボードにおいて、前記ベース板は、複数の前記フィルムを個々に搭載するよう複数の前記位置決め部材によって囲まれている複数のフィルム搭載領域を有し、前記ベース板には、前記フィルム搭載領域のそれぞれに一対一に対応するように透光性を有する台座板が配設されていることを特徴とするフィルム搭載ボード。
【請求項３】
請求項２記載のフィルム搭載ボードにおいて、前記台座板は、四角形状の前記フィルムの一対の長い辺より短く、前記フィルムの一対の短い辺よりも長い寸法に作られていることを特徴とするフィルム搭載ボード。
【請求項４】
請求項１乃至３のいずれか１項に記載のフィルム搭載ボードにおいて、前記ベース板には、前記ベース板の前記一面及び前記一面とは反対の他面のいずれか一方に前記マーク部が形成されていることを特徴とするフィルム搭載ボード。
【請求項５】
請求項４記載のフィルム搭載ボードにおいて、前記マーク部は、前記ベース板に形成されている溝であることを特徴とするフィルム搭載ボード。
【請求項６】
請求項５記載のフィルム搭載ボードにおいて、前記溝の内面には、前記ベース板の色と異なる色の塗料が塗布されていることを特徴とするフィルム搭載ボード。
【請求項７】
請求項１乃至６のいずれか１項に記載のフィルム搭載ボードにおいて、前記マーク部は、互いに平行な複数の第１マーク部と、該第１マーク部を直交しかつ互いに平行な複数の第２マーク部とを有し、前記ベース板は、前記第１マーク部と前記第２マーク部とによって格子状に形成されていることにより複数の前記フィルム搭載領域のそれぞれに区画されていることを特徴とするフィルム搭載ボード。
【請求項８】
請求項７項に記載のフィルム搭載ボードにおいて、前記ベース板には、複数の前記フィルム搭載領域のそれぞれにおいて一対の前記第１マーク部及び一対の前記第２マーク部のそれぞれに対応して、少なくとも１つの前記位置決め部材が配設されていることを特徴とするフィルム搭載ボード。
【請求項９】
請求項８項に記載のフィルム搭載ボードにおいて、前記ベース板には、前記第１マーク部に対応して配設されている前記位置決め部材及び前記第２マーク部に対応して配設されている前記位置決め部材の内の、少なくとも一対の前記第１マーク部に対応して配設されている前記位置決め部材が一対の前記第２マーク部の内の一方側寄りに位置ずれして配設されていることを特徴とするフィルム搭載ボード。
【請求項１０】
請求項１乃至９のいずれか１項に記載に記載のフィルム搭載ボードにおいて、前記ベース板の対向する一対の辺の近傍には、取手が設けられていることを特徴とするフィルム搭載ボード。
【請求項１１】
請求項１乃至１０のいずれか１項に記載に記載のフィルム搭載ボードにおいて、前記ベース板の対向する一対の辺の他面には、補強板が配設されていることを特徴とするフィルム搭載ボード。
【発明の詳細な説明】
【技術分野】
【０００１】
本発明は、投影機の光により投影用のフィルムの画像を投影するために複数のフィルムを搭載して投影するフィルム搭載ボードに関するものである。
【背景技術】
【０００２】
従来、投影用のＸ線スライド・フィルムの画像を投影するには、フィルムを投影機のガラス板の上に搭載して、投影機の光源をガラス板に透過させてフィルムの画像を投影することが行われている。ガラス板上には、手の指によって複数のフィルムを直接、持ち運ぶことによってフィルムの画像を透視して観察しているが、１つずつフィルムをガラス板上に整列して正しい姿勢で配置する作業に手間を要する。
【０００３】
また、整列させた複数のフィルムを搬送するためには、投影機から１つずつフィルムを持ち出すか、投影機ごと持ち運ばなければならないという不便さがある。
【０００４】
そこで、複数のフィルムを同時に投影機に搬送し、さらに投影機から別な場所へ持ち運ぶため手段としては、以下の先行技術１がある。
【０００５】
先行技術１としては、マウント付フィルムスライドを収納するファイルシートが開示されている（例えば、特許文献１を参照）。
【０００６】
先行技術１では、シート本体に複数本の縦浅及び複数本の横浅により区画されたマウント付フィルムスライド収納用凹部が形成されており、相互に対向する横浅の側壁から対をなすように凹部内に向かって一対の耳板が突出形成されている。
【０００７】
このファイルシートでは、マウント付フィルムスライドを、その縁から凹部内に滑り込ませることにより凹部に挿入され、この状態で、耳板がマウント付フィルムスライドのマウントの縁部に係合し凹部内に保持するように構成されている。
【０００８】
【特許文献１】特開平８−１８７９８４号公報（公報第３頁の段落［０００７］、図１を参照）
【発明の開示】
【発明が解決しようとする課題】
【０００９】
特許文献１では、マウント付フィルムスライドを凹部内に滑り込ませることにより凹部に挿入し、この状態で、耳板にマウント付フィルムスライドのマウントの縁部に係合させて凹部内に保持しているので、ファイルシートにマウント付フィルムスライドを保持する作業や取り出す作業に手間がかかるという問題がある。
【００１０】
また、マウント付フィルムスライドは、凹部内に滑り込ませ挿入し、耳板に保持されるので、マウント付フィルムスライドを掴んで挿入し耳板に保持する際に大きな力を必要とすることから、マウント付フィルムスライドを掴んだ指よってマウント付フィルムスライドが折れ曲がることや、指の汚れが付着してしまうという問題がある。
【００１１】
さらに、耳板は、シート本体から打ち抜きによって形成されるので、耳板を打ち抜くための専用のプレス型を用意しなければならず、ファイルシートの製作が複雑となり経済性に劣るという問題がある。
【００１２】
それ故に、本発明の課題は、複数のフィルムを整列して配列することができるとともに、フィルムを汚すことなく、フィルムの出し入れや入れ替えを容易にすることができ、しかも複数のフィルムを同時に搬送することができるフィルム搭載ボードを提供することにある。
【００１３】
また、本発明の他の課題は、制作が容易にできるフィルム搭載ボードを提供することにある。
【課題を解決するための手段】
【００１４】
本発明は、投影機の光により投影用フィルムを投影するために用いるフィルム搭載ボードにおいて、透光性を有するベース板と、複数の前記フィルムを互いに間隔をもたせて前記ベース板の一面に搭載した際に、前記ベース板の前記一面に対して平行な方向への前記フィルムの移動を阻止するよう前記ベース板の前記一面の所定位置に配設した複数の位置決め部材と、前記位置決め部材を前記ベース板の前記所定位置に配設するよう前記ベース板に設けたマーク部とを有することを特徴とするフィルム搭載ボードであることを最も主要な特徴とする。
【００１５】
前記ベース板は、複数の前記フィルムを個々に搭載するよう複数の前記位置決め部材によって囲まれている複数のフィルム搭載領域を有し、前記ベース板には、前記フィルム搭載領域のそれぞれに一対一に対応するように透光性を有する複数の台座板を配設するようにしてもよい。
【００１６】
前記台座板は、四角形状の前記フィルムの一対の長い辺より短く、前記フィルムの一対の短い辺よりも長い寸法に作るようにしてもよい。
【００１７】
また、本発明では、前記ベース板の前記一面及び前記一面とは反対の他面のいずれか一方に前記マーク部を形成し、前記マーク部を前記ベース板に形成される溝として、該溝の内面に前記ベース板の色と異なる色の塗料が塗布するようにしてもよい。
【００１８】
前記マーク部は、互いに平行な複数の第１マーク部と、該第１マーク部を直交しかつ互いに平行な複数の第２マーク部とを有し、前記ベース板は、前記第１マーク部と前記第２マーク部とによって格子状に形成されていることにより複数の前記フィルム搭載領域のそれぞれに区画され、前記ベース板には、前記位置決め部材によって複数の前記フィルム搭載領域の一対の前記第１マーク部及び一対の前記第２マーク部のそれぞれに、少なくとも１つの前記位置決め部材が配設するようにしてもよい。
【００１９】
前記ベース板には、前記第１マーク部に対応して配設されている前記位置決め部材及び前記第２マーク部に対応して配設されている前記位置決め部材の内の、少なくとも一対の前記第１マーク部に対応して配設されている前記位置決め部材が一対の前記第２マーク部の一方側寄りへ位置ずれして配設されるようにしてもよい。
【００２０】
さらに、前記ベース板の対向する一対の辺の近傍には、取手を設けるようにしてもよく、ベース板の対向する一対の辺の他面には、補強板を配設するようにしてもよい。
【発明の効果】
【００２１】
本発明のフィルム搭載ボードによれば、複数の位置決め部材によってベース板の板面に対して平行な方向へのフィルムの移動を阻止することができるので、常に、フィルムを正しい姿勢を保ちつつフィルムを透視して観察することができる。
【００２２】
また、フィルムの出し入れ作業や入れ替え作業を行う際には、位置決め部材が存在しない部分の隙間に親指と人指し指、若しくは治具を利用してフィルムを摘むことができるので、フィルムが折り曲がることなく、また、フィルムを汚すことなく、フィルム搭載領域への出し入れ作業や入れ替え作業を迅速かつ容易に行うことができる。
【００２３】
また、本発明のフィルム搭載ボードによれば、マーク部によってベース板に複数の位置決め部材を配設する際に、所定位置へ容易に配設することができる。
【００２４】
また、ベース部にマーク部として溝を形成し、溝の内面にベース板の色と異なる色の塗料を塗布した場合には、溝内の色によって位置決め部材をベース板に配設する際の所定位置が目視しやすくなる。
【００２５】
また、マーク部である溝の内面に塗料を塗布した場合には、塗料が投影機のガラス板との摩擦や、拭き掃除用の清掃具によって塗料が剥がれることがないため、フィルム搭載ボードを常に、きれいな状態に保つことができる。
【００２６】
また、台座板をベース板に配設した場合には、マーク部を目視しながらフィルム搭載領域のそれぞれに台座板を接着剤によって固着することができ、さらにマーク部上に位置決め部材を接着剤によって固着することができるので、製作において経済性に優れたフィルム搭載ボードを提供することができる。
【００２７】
また、フィルムを台座板上に搭載した際には、ベース板の一面とフィルムとの間に台座板を介して隙間があることから、指、若しくは治具によってフィルムの出し入れ作業や、入れ替え作業がさらに容易となる。
【００２８】
また、台座板は、フィルムの長い方の一対辺の長さより短く、フィルムの短い方の一対の辺より長く作ると、フィルムを縦に置おいても、横に置いてもフィルムが取り出しやすく、台座板のサイズを変更することなくフィルムを常に安定させた状態で置くことが可能となる。
【００２９】
また、フィルムは、個々のフィルム搭載領域において複数の位置決め部材によって囲まれて位置決めされるので、フィルムを搭載した状態でベース板を容易に持ち運びができ、ベース板を傾けても位置決め部材によってフィルムの移動を阻止することができる。
【００３０】
また、ベース板に一対の補強板を設けた場合には、ベース板の幅方向の反りを防ぐことができるので、複数のフィルムを搭載したベース板を安定した状態で搬送することができる。
【００３１】
また、一対の補強板間の寸法を投影台のガラス枠の幅寸法に合わせて製作した場合には、投影台のガラス枠部の段差部分に対向して一対の補強板の板厚部分が嵌り込むためベース板が長手方向へ移動するのを阻止することができるので、フィルム搭載ボードが投影台からすべり落ちるのを防止することができる。
【００３２】
さらに、ベース板の対向する一対の辺の近傍には、取手を設けることによって複数のフィルムを搭載したベース板の搬送が容易になる。
【発明を実施するための最良の形態】
【００３３】
本発明のフィルム搭載ボードは、投影機の光により投影用フィルムを投影するために用いるフィルム搭載ボードにおいて、透光性を有するベース板と、複数の前記フィルムを互いに間隔をもたせて前記ベース板の一面に搭載した際に、前記ベース板の前記一面に対して平行な方向への前記フィルムの移動を阻止するよう前記ベース板の前記一面の所定位置に配設した複数の位置決め部材と、前記位置決め部材を前記ベース板の前記所定位置に配設するよう前記ベース板に設けたマーク部とを有することにより実現した。
【００３４】
また、前記ベース板は、複数の前記フィルムを個々に搭載するよう複数の前記位置決め部材によって囲まれている複数のフィルム搭載領域を有し、前記ベース板には、前記フィルム搭載領域のそれぞれに一対一に対応するように透光性を有する複数の台座板を配設する。
【００３５】
また、前記台座板は四角形状の前記フィルムの一対の長い辺より短く、前記フィルムの一対の短い辺よりも長い寸法に作る。
【００３６】
また、前記ベース板には、前記ベース板の前記一面及び前記一面とは反対の他面のいずれか一方に前記マーク部を形成し、前記マーク部を前記ベース板に形成される溝として、該溝の内面に前記ベース板の色と異なる色の塗料を塗布する。
【００３７】
また、前記マーク部は、互いに平行な複数の第１マーク部と、該第１マーク部を直交しかつ互いに平行な複数の第２マーク部とを有し、前記ベース板は、前記第１マーク部と前記第２マーク部とによって格子状に形成されていることにより複数の前記フィルム搭載領域のそれぞれに区画し、前記ベース板には、前記位置決め部材によって複数の前記フィルム搭載領域の一対の前記第１マーク部及び一対の前記第２マーク部のそれぞれに、少なくとも１つの前記位置決め部材を配設する。
【００３８】
また、前記ベース板には、前記第１マーク部に対応して配設されている前記位置決め部材及び前記第２マーク部に対応して配設されている前記位置決め部材の内の、少なくとも一対の前記第１マーク部に対応して配設されている前記位置決め部材を一対の前記第２マーク部の内の一方側寄りへ位置ずれさせて配設する。
【００３９】
また、ベース板の対向する一対の辺の近傍には取手を設け、ベース板の対向する一対の辺の他面には、補強板が配設する。
【実施例１】
【００４０】
図１乃至図３は、本発明に係るフィルム搭載ボードの実施例１を示している。図４は、フィルム搭載ボードの一部を拡大して示している。なお、図１では、フィルム搭載ボードを投影機上に載せた状態を示している。
【００４１】
図１乃至図４を参照して、フィルム搭載ボードは、ベース板１１と、ベース板１１の所定位置に配設されている複数の位置決め部材２１と、ベース板１１に形成されているマーク部３１と、ベース板１１に配設されている台座板３５と、ベース板１１に取り付けられている一対の取手４１と、補強板５１とを有している。
【００４２】
ベース板１１は、透光性を有するプラスチック樹脂板によって作られている。複数の位置決め部材２１は、複数のＸ線スライド・フィルム（図５を参照）５１をベース板１１上で互いに間隔をもたせ整列し搭載した際に、ベース板１１の一面に対して平行な方向へのフィルム５１の移動を阻止する役目を果たす。
【００４３】
マーク部３１は、位置決め部材２１をベース板１１の所定位置に配設するように、ベース板１１に配置されている。マーク部３１は、位置決め部材２１が配設されているベース板１１の一面とは反対の他面に形成されている断面逆Ｖ字状（図５を参照）の長溝である。長溝の内面には、ベース板１１の色と異なる色の塗料が塗布されている。
【００４４】
さらに、マーク部３１は、互いに平行な複数の第１マーク部３２と、該第１マーク部３２を直交しかつ互いに平行な複数の第２マーク部３３とを有する。ベース板１１には、フィルム５１のそれぞれが個々に対応して位置するように、マーク部３１が複数の第１マーク部３２と複数の第２マーク部３３とによって格子状に形成されている。
【００４５】
個々のフィルム５１は、複数の第１マーク部３２と複数の第２マーク部３３によって格子状に区画された個々の領域部分が、個々のフィルム５１を搭載するための複数のフィルム搭載領域Ａとなっている。即ち、フィルム搭載領域Ａは、図４によって最も良くわかるように、一対の第１マーク部３２と一対の第２マーク部３３によって囲まれて第１マーク部３２と第２マーク部３３を含む所定位置に配設されている４つの位置決め部材２１の内側の面となる。
【００４６】
図１におけるフィルム搭載領域Ａは、紙面の左右方向で７つのフィルム搭載領域Ａを有し、紙面の上下方向で２つのフィルム搭載領域Ａを有し、これらのフィルム搭載領域Ａが隣接して配列されている。なお、フィルム搭載領域Ａの数は、実施例１に限定されるものではない。
【００４７】
位置決め部材２１は、位置決め部材２１の長手方向が第１マーク部３２及び第２マーク部３３と平行となる方向に位置している。ベース板１１には、一対の第１マーク部３２に対応して配設されている位置決め部材２１が一対の第２マーク部３３の一方の第２マーク部３３側寄りへ位置ずれして配設されている。また、ベース板１１には、一対の第２マーク部３３に対応して配設されている位置決め部材２１が一対の第１マーク部３２の一方の第１マーク部３２側寄りへ位置ずれして配設されている。
【００４８】
実施例１においては、ベース板１１には、フィルム搭載領域Ａのそれぞれにおいて一対の第１マーク部３２の距離の１／２の距離を基準として一対の第１マーク部３２の一方の１／２の距離を越えた距離Ｌの残りの距離部分に位置決め部材２１が位置ずれしている状態で配設されている。
【００４９】
また、ベース板１１には、フィルム搭載領域Ａのそれぞれにおいて一対の第２マーク部３３の距離の１／２の距離を基準として一対の第２マーク部３３の一方の１／２の距離を越えた距離Ｌの残りの距離部分に位置決め部材２１が位置ずれしている状態で配設されている。
【００５０】
ベース板１１には、フィルム５１を搭載するように４つの位置決め部材２１によって囲まれたベース板１１のフィルム搭載領域Ａに一対一に対応するように透光性を有する複数の台座板３５が配設されている。台座板３５の外形形状は、４つの位置決め部材２１によって囲まれたフィルム搭載領域Ａよりも少し小さいものである。
【００５１】
さらに、ベース板１１の両側の一対の辺の近傍には、取手４１が設けられている。ベース板１１の対向する一対の辺の他面には、長板形状の補強板４５が接着剤により接着されて固着されている。取手４１を取り付けるベース板１１の一対の辺には、取手４１を挿入する孔（図示せず）が形成されている。
【００５２】
実施例１におけるフィルム搭載ボードは、図１に示した投影機６１の光により投影用のフィルム５１の画像を投影するために用いる。投影機６１は、投影機本体６２と、投影機本体６２の上面にガラス板６４が設けられているガラス枠６５が設けられている。投影機本体６２内には、光源（図示せず）が設けられており、光源の光がガラス板６４をと透過する光によってベース板１１に搭載された投影用のフィルム５１の画像が投影される。
【００５３】
フィルム搭載ボードを製作する場合の具体例としては、ベース板１１をアクリル樹脂板とする。ベース板１１の厚み寸法を４ｍｍ、長手方向の寸法を４８９ｍｍ、長手方向と直交する幅方向の寸法を４００ｍｍとする。位置決め部材２１は角柱形状であり、透光性を有する部材であっても、透光性がない部材であってもよく、ベース板１１に接着されるのでベース板１１と同じ材質であることが望ましい。位置決め部材２１は長手方向の寸法を６ｍｍ、長手方向と直交する幅方向の寸法を５ｍｍの角柱体とする。
【００５４】
マーク部２１の長溝は、溝幅の寸法を２ｍｍとする。溝の深さ寸法は、ベース板１１に溝を形成することによって強度を損なわないように１ｍｍ程度とすることが望ましい。台座板３５は、平面が略四角形状のアクリル樹脂板とし、四隅が傾斜するように切り欠けられており、厚み寸法を２ｍｍ、長手方向及び幅方向の寸法を２８ｍｍとする。
【００５５】
フィルム搭載領域Ａの寸法は、マーク部３１の中心から一対の第１マーク部３２間及び第２マーク部３３間の寸法をいずれも４６ｍｍである。補強板４５の長手方向の寸法は、ベース板１１の幅方向の寸法と同じとし、幅方向の寸法を２５ｍｍとする。フィルム搭載領域Ａに搭載されるフィルム５１は、四角形状であり、縦（長い方の一対の辺）４０ｍｍ、横（短い方の一対の辺）３０ｍｍ程度のもので、厚み寸法が１ｍｍ〜２ｍｍ程度のものである。
【００５６】
フィルム５１が台座板３５に搭載されたときには、台座板３５とベース板１１との間に隙間ができる。また、台座板３５は、四角形状のフィルム５１の長い方の一対の辺の長さより短く、フィルム５１の短い方の一対の辺より長くなるように作ると、台座板３５に搭載されたフィルム５１を取り出しやすくなる。さらに、台座板３５は、フィルム５１の長い方の一対辺の長さより短く、フィルム５１の短い方の一対の辺より長く作ると、フィルム５１を縦に置おいても、横に置いてもフィルム５１が取り出しやすくなり、台座板３５のサイズを変更することなくフィルム５１を常に安定させた状態で置くことが可能である。
【００５７】
実施例１におけるフィルム搭載ボードを製作するには、ベース板１１の他面にマーク部３１を形成する。マーク部３１としての長溝の内面には、塗料を塗布することによって、ベース板１１の一面からマーク部３１を透視して目視できる。
【００５８】
したがって、台座板３５は、ベース板１１の一面からマーク部３１を目視しながら、フィルム搭載領域Ａのベース板１１の一面に接着剤によって固着させる。また、位置決め部材２１は、マーク部３１上に接着剤によって固着させる。
【００５９】
さらに、ベース板１１の一対の辺の他面には、補強板４５を接着剤によって固着し、補強板４５が位置するベース板１１に孔を開けて、取手４１を孔に差し込み接着剤によって固着する。
【００６０】
実施例１においては、一対の第１マーク部３２に位置している位置決め部材３２が、一方の第２マーク部３３から２４ｍｍ以上離れて位置しており、一対の第２マーク部３３に位置している位置決め部材３２が一方の第１マーク部３２から２４ｍｍ以上離れて位置されている。
【００６１】
フィルム５１の出し入れ作業や入れ替え作業を行う際には、位置決め部材２１が存在しない距離Ｌの隙間に親指と人指し指、若しくは治具を挿入して、フィルム５１を摘みフィルム５１の出し入れ作業や入れ替え作業を行う。
【００６２】
また、フィルム５１は、台座板３５上に搭載されるので、ベース板１１の一面とフィルム５１との間に台座板３５の厚み分の隙間があることから、この隙間を補助的に利用して指、若しくは治具によってフィルム５１の出し入れ作業や入れ替え作業を行うことが可能である。
【００６３】
また、一対の補強板４１間の寸法を投影台６２のガラス枠６５の幅寸法に合わせた場合には、投影台６２のガラス枠部６５の段差部分に対向して一対の補強板４５の板厚部分が嵌り込むため、ベース板１１が長手方向へ移動するのを阻止する役目を果たす。
【００６４】
さらに、ベース板１１には、一対の補強板４５を設けてあるのでベース板１１の厚みが増すことから、ベース板１１の幅方向の反りを防ぐことができることから搬送に適したフィルム搭載ボードとなる。
【００６５】
また、マーク部３１は、位置決め部材２１をベース板１１上の所定位置に配設するように、ベース板１１の複数を配置してもよく、マーク部３１を位置決め部材２１が配設されているベース板１１の一面に形成するようにしてもよい。
【００６６】
また、マーク部３１は、線状、若しくは断続的に塗料をベース板１１に塗布してあってもよい。また、ベース板１１の他面に形成されるマーク部３１としての長溝は、断面逆Ｕ字状、断面逆凹状などであってもよい。
【００６７】
ベース板１１の一面にマーク部３１としての長溝を形成する場合には、断面Ｖ字状、断面Ｕ字状、断面凹状などの長溝として、この長溝の内面にベース板１１の色と異なる色の塗料を塗布するようにしてもよい。
【００６８】
また、マーク部３１は、ベース板１１に対向させて接着するための位置決め部材２１の対向面の面積と同程度の面積をもつマーク部３１をベース板１１の所定位置のみに形成するか、若しくは塗料をベース板１１の所定位置のみに塗布することによって位置決め部材２１をベース板１１に固着するようにしてもよい。
【００６９】
また、マーク部３１は、複数の溝を断続的に形成し、これらの溝間を所定位置とし、位置決め部材２１を所定位置に固着するか、塗料を断続的にベース板１１に塗布することにより位置決め部材２１を固着するための所定位置とするか、若しくは塗料が塗布されていない部分を所定位置として位置決め部材２１をベース板１１に固着するようにしてもよい。
【００７０】
ベース板１１には、フィルム搭載領域Ａのそれぞれで一対の第１マーク部３２，３２のそれぞれに複数の位置決め部材２１を配設してもよく、一対の第２マーク部３３のそれぞれに複数の位置決め部材２１を配設するようにしてもよい。ただし、位置決め部材２１の位置は、手の指が入り込む程度の間隔をもって配設することが重要である。
【産業上の利用可能性】
【００７１】
本発明のフィルム搭載ボードは、臨床実習開始前の医学生・歯学生が臨床実習に進むに足りる基本的臨床能力を備えているかどうかを適正に評価する共用試験において、Ｘ線スライド・フィルムを取り扱う用途に適用できる。
【図面の簡単な説明】
【００７２】
【図１】本発明に係るフィルム搭載ボードの実施例１を示しており、投影機上にフィルム搭載ボードを載せた状態を示した平面図である。
【図２】図１に示したフィルム搭載ボードの正面図である。
【図３】図２に示したフィルム搭載ボードの右側面図である。
【図４】図１に示したフィルム搭載ボードにおけるマーク部の一部を拡大して示した平面図である。
【図５】図４のフィルム搭載ボードにおけるマーク部の一部のＶ−Ｖ線断面図であり、搭載する前のフィルムの正面を共に示している。
【符号の説明】
【００７３】
１１    ベース板
２１    位置決め部材
３１    マーク部
３２    第１マーク部
３３    第２マーク部
３５    台座板
４１    取手
４５    補強板
５１    フィルム
６１    投影機
６２    投影機本体
６４    ガラス板
Ａ    フィルム搭載領域
【図１】
2008155426.tif 000003
【図２】
2008155426.tif 000004
【図３】
2008155426.tif 000005
【図４】
2008155426.tif 000006
【図５】
2008155426.tif 000007